(57)【特許請求の範囲】
【請求項１】
移動局との間で無線通信を行う無線通信手段と、
前記無線通信手段が形成する自セルで使用される周波数チャネルを決定する周波数チャネル制御手段とを備え、
前記周波数チャネル制御手段は、
少なくとも１つの周辺の基地局によって使用される少なくとも１つの周辺のセルの各々からの受信信号に予め定められた物理チャネルが含まれるか否かによって、前記少なくとも１つの周辺のセルの各々の優先度を識別し、
前記少なくとも１つの周辺のセルのうち優先度の低いセルで使用されている周波数チャネルを優先度の高いセルで使用されている周波数チャネルより優先的に前記自セルで使用する周波数チャネルとして選択する、
基地局装置。
【請求項２】
前記周波数チャネル制御手段は、前記受信信号に前記予め定められた物理チャネルが含まれないセルで使用されている周波数チャネルを、前記受信信号に前記予め定められた物理チャネルが含まれるセルで使用されている周波数チャネルより優先して前記自セルで使用する周波数チャネルとして選択する、請求項１に記載の基地局装置。
【請求項３】
移動局との間で無線通信を行う無線通信手段と、
前記無線通信手段が形成する自セルで使用される周波数チャネルを決定する周波数チャネル制御手段とを備え、
前記周波数チャネル制御手段は、
少なくとも１つの周辺の基地局によって使用される少なくとも１つの周辺のセルの各々において報知チャネルが送信されているか否かを識別し、前記報知チャネルを送信していないセルで使用されている周波数チャネルを、前記報知チャネルを送信しているセルで使用されている周波数チャネルより優先して前記自セルで使用する周波数チャネルとして選択する、
基地局装置。
【請求項４】
移動局との間で無線通信を行う無線通信手段と、
前記無線通信手段が形成する自セルで使用される周波数チャネルを決定する周波数チャネル制御手段とを備え、
少なくとも１つの周辺の基地局によって使用される少なくとも１つの周辺のセルの各々から送信される無線信号は、移動局のセルへのアクセス制限に関するアクセス制限情報を含み、
前記周波数チャネル制御手段は、前記アクセス制限情報が無効値を示すか否かによって、前記少なくとも１つの周辺のセルの各々の優先度を識別し、前記少なくとも１つの周辺のセルのうち優先度の低いセルで使用されている周波数チャネルを優先度の高いセルで使用されている周波数チャネルより優先的に前記自セルで使用する周波数チャネルとして選択する、
基地局装置。
【請求項５】
前記周波数チャネル制御手段は、有効値を示す前記アクセス制限情報を送信するセルで使用されている周波数チャネルを、前記無効値を示す前記アクセス制限情報を送信するセルで使用されている周波数チャネルより優先して前記自セルで使用する周波数チャネルとして選択する、請求項４に記載の基地局装置。
【請求項６】
前記無線通信手段は、第１のセル及び前記第１のセルとは異なる周波数チャネルを用いて前記第１のセルの形成を条件として従属的に形成される第２のセルを形成し、
前記自セルは、少なくとも前記第２のセルを含む、請求項１〜５のいずれか１項に記載の基地局装置。
【請求項７】
前記基地局装置は、前記第１及び第２のセルで同時に高速ダウンリンクパケットアクセス（HSDPA）の提供を行うデュアルセルHSDPAオペレーション（DC-HSDPA）をサポートし、
前記第１のセルは、サービングHS-DSCHセルであり、
前記第２のセルは、セカンダリ・サービングHS-DSCHセルである、
請求項６に記載の基地局装置。
【請求項８】
基地局装置の制御方法であって、
少なくとも１つの周辺の基地局によって使用される少なくとも１つの周辺のセルの各々からの受信信号に予め定められた物理チャネルが含まれるか否かによって、前記少なくとも１つの周辺のセルの各々の優先度を識別するステップ（ａ）と、
前記少なくとも１つの周辺のセルのうち優先度の低いセルで使用されている周波数チャネルを優先度の高いセルで使用されている周波数チャネルより優先的に前記基地局装置が形成する自セルで使用する周波数チャネルとして選択するステップ（ｂ）と、
を備える、基地局装置の制御方法。
【請求項９】
前記ステップ（ｂ）では、前記受信信号に前記予め定められた物理チャネルが含まれないセルで使用されている周波数チャネルを、前記受信信号に前記予め定められた物理チャネルが含まれるセルで使用されている周波数チャネルより優先して前記自セルで使用する周波数チャネルとして選択する、請求項８に記載の方法。
【請求項１０】
基地局装置の制御方法であって、
少なくとも１つの周辺の基地局によって使用される少なくとも１つの周辺のセルの各々において送信される無線信号に含まれるアクセス制限情報が無効値を示すか否かによって、前記少なくとも１つの周辺のセルの各々の優先度を識別するステップ（ａ）と、
前記少なくとも１つの周辺のセルのうち優先度の低いセルで使用されている周波数チャネルを優先度の高いセルで使用されている周波数チャネルより優先的に前記基地局装置が形成する自セルで使用する周波数チャネルとして選択するステップ（ｂ）と、
を備え、
前記アクセス制限情報は、移動局の各周辺のセルへのアクセス制限に関する、
基地局装置の制御方法。
【請求項１１】
前記ステップ（ｂ）では、有効値を示す前記アクセス制限情報を送信するセルで使用されている周波数チャネルを、前記無効値を示す前記アクセス制限情報を送信するセルで使用されている周波数チャネルより優先して前記自セルで使用する周波数チャネルとして選択する、請求項１０に記載の方法。
【請求項１２】
移動局との間で無線通信を行う基地局機器用の処理装置であって、
少なくとも１つの周辺の基地局によって使用される少なくとも１つの周辺のセルの各々からの受信信号に予め定められた物理チャネルが含まれるか否かによって、前記少なくとも１つの周辺のセルの各々の優先度を識別するセル属性識別手段と、
前記少なくとも１つの周辺のセルのうち優先度の低いセルで使用されている周波数チャネルを優先度の高いセルで使用されている周波数チャネルより優先的に前記基地局機器が形成する自セルで使用する周波数チャネルとして選択するチャネル決定手段と、
を備える処理装置。
【請求項１３】
移動局との間で無線通信を行う基地局機器用の処理装置であって、
少なくとも１つの周辺の基地局によって使用される少なくとも１つの周辺セルの各々において送信される無線信号に含まれるアクセス制限情報が無効値を示すか否かによって、前記少なくとも１つの周辺のセルの各々の優先度を識別するセル属性識別手段と、
前記少なくとも１つの周辺のセルのうち優先度の低いセルで使用されている周波数チャネルを優先度の高いセルで使用されている周波数チャネルより優先的に前記基地局機器が形成する自セルで使用する周波数チャネルとして選択するチャネル決定手段と、
を備え、
前記アクセス制限情報は、移動局の各周辺のセルへのアクセス制限に関する、
処理装置。
【請求項１４】
移動局との間で無線通信を行う基地局機器に関する制御処理をコンピュータに実行させるためのプログラムであって、
前記制御処理は、
少なくとも１つの周辺の基地局によって使用される少なくとも１つの周辺のセルの各々からの受信信号に予め定められた物理チャネルが含まれるか否かによって、前記少なくとも１つの周辺のセルの各々の優先度を識別するステップ（ａ）と、
前記少なくとも１つの周辺のセルのうち優先度の低いセルで使用されている周波数チャネルを優先度の高いセルで使用されている周波数チャネルより優先して前記基地局機器が形成する自セルで使用される周波数チャネルとして選択するステップ（ｂ）と、
を含むプログラム。
【請求項１５】
第１の基地局及び少なくとも１つの第２の基地局を備える無線通信システムであって、
前記第１の基地局は、
移動局との間で無線通信を行う無線通信手段と、
前記少なくとも１つの第２の基地局によって使用される少なくとも１つの周辺のセルの各々からの受信信号に予め定められた物理チャネルが含まれるか否かによって、前記少なくとも１つの周辺のセルの各々の優先度を識別し、前記少なくとも１つの周辺のセルのうち優先度の低いセルで使用されている周波数チャネルを優先度の高いセルで使用されている周波数チャネルより優先的に前記無線通信手段が形成する自セルで使用する周波数チャネルとして選択する周波数チャネル制御手段と、
を備える、無線通信システム。
【請求項１６】
第１の基地局及び少なくとも１つの第２の基地局を備える無線通信システムであって、
前記第１の基地局は、
移動局との間で無線通信を行う無線通信手段と、
少なくとも１つの第２の基地局によって使用される少なくとも１つの周辺セルの各々において送信される無線信号に含まれるアクセス制限情報が無効値を示すか否かによって、前記少なくとも１つの周辺のセルの各々の優先度を識別し、前記少なくとも１つの周辺のセルのうち優先度の低いセルで使用されている周波数チャネルを優先度の高いセルで使用されている周波数チャネルより優先的に前記無線通信手段が形成する自セルで使用する周波数チャネルとして選択する周波数チャネル制御手段と、
を備える、無線通信システム。
【発明の詳細な説明】
【技術分野】
【０００１】
本発明は、移送局との無線通信に使用する周波数チャネルを自律的に決定することが可能な基地局に関する。
【背景技術】
【０００２】
3GPP（3rd Generation Partnership Project）では、セル端の移動局の通信速度を高速化する技術の１つとして、既存のHSDPA（High Speed Downlink Packet Access）を用いたDC-HSDPA（Dual Cell-HSDPA operation）が検討されている。DC-HSDPAは、同じ周波数バンドに含まれる２つの周波数チャネル（各々５ＭＨｚ）を同時に使用することで、下り方向の高速化を図る。以下では、3GPPにおいて検討中のDC-HSDPAの概要について説明する。なお、現在提案されているDC-HSDPAの技術内容の詳細については、以下の非特許文献１〜３を参照されたい。【０００３】
DC-HSDPAでは、第２のサービングHS-DSCHセルは、"セカンダリ・サービングHS-DSCHセル"と呼ばれる。また、第１のサービングHS-DSCHセルは、単に"サービングHS-DSCHセル"と呼ばれている。セカンダリ・サービングHS-DSCHセルは、サービングHS-DSCHセルの生成を条件として従属的に形成される。なお、サービングHS-DSCHセルは、"プライマリキャリア"又は"ベースキャリア"と呼ばれる場合がある。また、セカンダリ・サービングHS-DSCHセルは、"セカンダリキャリア"又は"エクステンディッドキャリア"と呼ばれる場合がある。【０００４】
本明細書では、２つのサービングHS-DSCHセルの識別を明確にするため、第１のサービングHS-DSCHセルを"プライマリ・サービングHS-DSCHセル"と呼ぶ。また、以下では、プライマリ・サービングHS-DSCHセルを略して "プライマリセル"と呼び、セカンダリ・サービングHS-DSCHセルを略して"セカンダリセル"と呼ぶ。また、セカンダリセルとその他のセルを区別するため、プライマリセル及び非HSDPAセルを総称して、"非セカンダリセル"と呼ぶ。非HSDPAセルとは、HSDPA及びDC-HSDPAをサポートしない基地局によって生成される通常のセルである。【０００５】
図１３は、DC-HSDPAをサポートする基地局（Node B）９１と移動局９２との間で、DC-HSDPAによるパケット通信を行うために使用される物理チャネルを示している。HS-PDSCHは、トランスポートチャネルHS-DSCHを転送するデータ送信用のダウンリンク物理チャネルである。HS-SCCHは、HS-DSCH転送に関するダウンリンクのシグナリング情報の送信に使用される。HS-DPCCHは、HS-DSCH転送に関するフィードバック情報を移動局９２から基地局９１に送信するために使用されるアップリンク物理チャネルである。当該フィードバック情報には、ハイブリッドARQ（Automatic repeat-request）に関するACK応答及びCQI（channel Quality Indication）が含まれる。アップリンクDPCH及びダウンリンクDPCHは、DC-HSDPAに関する制御情報の送受信に使用される。なお、プライマリセルの生成に必要な他の共通物理チャネル（P-CPICH、SCH、P-CCPCH、S-CCPCHなど）及びセカンダリセルの生成に必要な他の共通物理チャネル（P-CPICH、SCHなど）も使用されることはもちろんである。省略表記された物理チャネル及びトランスポートチャネルの正式名称を以下に示す。
P-CPICH：Primary Common Pilot Channel
DPCH：Dedicated Physical Channel
HS-DPCCH：Dedicated Physical Control Channel (uplink) for HS-DSCH
HS-DSCH：High Speed Downlink Shared Channel
HS-PDSCH：High Speed Physical Downlink Shared Channel
HS-SCCH：Shared Control Channel for HS-DSCH
P-CCPCH：Primary Common Control Physical Channel
S-CCPCH：Secondary Common Control Physical Channel
SCH：Synchronisation Channel【０００６】
DC-HSDPAをサポートする基地局において２つのサービングHS-DSCHセルが設定されている場合、セカンダリセルの有効化（activation）と無効化（deactivation）は、基地局によって切り替えられる。セカンダリセルの有効化および無効化を基地局から移動局（UE）に指示するためのコマンド（HS-SCCH Order）は、下り制御チャネルであるHS-SCCHを用いて移動局に送信される。また、セカンダリセルの有効化および無効化は、基地局又は無線ネットワーク制御装置（ＲＮＣ：Radio Network Controller）から移動局にRRC messageを送信することによっても変更可能である。RRC MESSAGEのメッセージ構造等の詳細については、3GPP TS 25.331 V8.4.0 (2008-09) "Radio Resource Control (RRC)"を参照されたい。【０００７】
一方、携帯電話の普及による屋内での音声通信やデータ通信の需要の増大に伴い、利用者宅内、オフィス内などに設置可能な小型基地局の開発が進められている。この小型基地局は、例えば小型基地局の所有者によって宅内や小規模オフィス等に設置され、ADSL（Asymmetric Digital Subscriber Line）や光ファイバ回線を用いてコアネットワーク側の上位装置と接続される。3GPPは、このような小型基地局を"Home NodeB"及び"Home eNodeB"と定義して標準化作業を進めている（例えば非特許文献４を参照）。"Home NodeB"はUMTS（Universal Mobile Telecommunications System）向けの小型基地局であり、"Home eNodeB"はLTE（Long Term Evolution）向けの小型基地局である。本明細書では、このような小型基地局を"ホーム基地局"と呼び、ホーム基地局によって生成されるセルを"ホームセル"と呼ぶ。【０００８】
既存の移動体通信網（セルラ通信網）で使用される基地局では、基地局が移動局との通信に使用する無線リソースが予め定められている。これに対して、ホーム基地局に関しては、ホーム基地局が自律的に無線リソースの選択を行なうことが検討されている。なお、無線リソースとは、例えば、ＦＤＭＡ（Frequency Division Multiple Access）システムであれば周波数チャネルであり、ＣＤＭＡ（Code Division Multiple Access）システムであれば拡散コードである。３ＧＰＰ ＵＭＴＳ（Ｗ−ＣＤＭＡ:Wideband-CDMA）であれば、無線リソースは、周波数チャネル及びスクランブリングコードである。また、アップリンクにＳＣ−ＦＤＭＡ（Single Carrier FDMA）を採用し、ダウンリンクにＯＦＤＭＡ(Orthogonal FDMA)を採用する３ＧＰＰ ＬＴＥであれば、無線リソースは物理リソースブロックである。物理リソースブロックとは、基地局から移動局への下りデータ伝送に使用する無線リソースの基本単位であり、周波数領域で複数のＯＦＤＭサブキャリアを含み、時間領域で少なくとも１つのシンボル時間を含む。【０００９】
特許文献１には、ホーム基地局が、ｘＤＳＬ回線又は光ファイバ回線等で接続された管理システムから複数の無線リソース（具体的には周波数チャネル及びスクランブリングコード）候補を含む許可リストを受信し、当該許可リストに含まれる無線リソース候補の各々に関して無線信号の受信信号強度、ＣＩＲ（Carrier to Interference Ratio）を測定することが記載されている。さらに、特許文献１のホーム基地局は、受信信号強度が最小の無線リソース候補を自律的に選択して移動局との通信に用いる。受信レベルが最小となる無線リソース候補を選択する理由は、周辺の基地局によって形成されるセルとの干渉を最小化できると考えられるためである。また、特許文献１のホーム基地局は、選択した無線リソースによる初期送信電力を、先に測定した受信信号強度及びＣＩＲを用いて決定する。具体的には、初期送信電量は、周辺基地局からの干渉レベルを考慮して、所望の通信範囲（例えば２０ｍ以内）で十分な通信サービスを提供できるように決定される。
【先行技術文献】
【特許文献】
【００１０】
【特許文献１】英国特許出願公開第２４２８９３７号明細書（14ページ8行目〜15ページ21行目）
【非特許文献】
【００１１】
【非特許文献１】3GPP, R1-084029, 25.211 CR0257R3 (Rel-8, B) "Introduction of Dual-Cell HSDPA Operation on Adjacent Carriers", 2008年10月
【非特許文献２】3GPP, R1-084030, 25.212 CR0267R3 (Rel-8, B) "Introduction of Dual-Cell HSDPA Operation on Adjacent Carriers", 2008年10月
【非特許文献３】3GPP, R1-084031, 25.214 CR0497R4 (Rel-8, B) "Introduction of Dual-Cell HSDPA Operation on Adjacent Carriers", 2008年10月
【非特許文献４】3GPP, TR25.820 V8.2.0, "3G Home NodeB Study Item Technical Report", 2008年9月
【発明の概要】
【発明が解決しようとする課題】
【００１２】
本願の発明者等は、DC-HSDPAをサポートする基地局の周囲にホーム基地局が設置される場合におけるホーム基地局の周波数チャネル選択に関して検討を行った。DC-HSDPAを使用する場合、セカンダリセルによる通信サービス提供の優先度は、非セカンダリセル（プライマリセル及び非HSDPAセル）による通信サービス提供に比べて相対的に低いと考えられる。また、セカンダリセルは、高速データ転送が必要である場合に一時的に使用されると考えられる。このため、セカンダリセルが周辺のセルに及ぼす平均干渉量は、常時使用される非セカンダリセルに比べて低いと想定される。【００１３】
特許文献１に開示されたホーム基地局は、周辺基地局から無線送信される信号の受信電力に基づいて自身が形成するセルに割り当てる周波数チャネルを決定する。ここで、特許文献１のホーム基地局が周辺基地局からの信号を測定している期間中に、周辺基地局がセカンダリセルを使用している場合を考える。この場合、ホーム基地局における周辺のセカンダリセルからの受信電力が、周辺のプライマリセルや非HSDPAセルからの受信電力に比べて大きくなることがある。このため、特許文献１に開示されたホーム基地局は、一時的に使用されている周辺のセカンダリセルとの干渉を避けるために、周辺のプライマリセル又は非HSDPAセルで使用されているのと同一の周波数チャネルを自身が形成するセルに割り当てる周波数チャネルとして選んでしまうおそれがある。このような動作は、ホーム基地局の周波数チャネル選択の妥当性を低下させる。【００１４】
本発明は上述した検討に基づいてなされたものであって、自身が形成するセル（自セル）で使用する周波数チャネルを自律的に選択可能な基地局から周辺の非セカンダリセルに及ぶ干渉を抑制することを目的とする。
【課題を解決するための手段】
【００１５】
本発明の第１の態様にかかる基地局装置は、無線通信部及び周波数チャネル制御部を有する。前記無線通信部は、移動局との間で無線通信を行う。前記周波数チャネル制御部は、前記無線通信部が形成する自セルで使用される周波数チャネルを決定する。さらに、前記周波数チャネル制御部は、周辺の基地局によって形成される周辺のセルがプライマリセルの生成を条件として従属的に形成されるセカンダリセルであるか否かを識別し、周辺の非セカンダリセルで使用されているのと異なる周波数チャネルを優先的に前記自セルで使用する周波数チャネルとして選択する。【００１６】
本発明の第２の態様は、基地局装置の制御方法である。当該方法は、以下のステップ（ａ）及び（ｂ）を含む。
（ａ）周辺の基地局によって形成される周辺のセルがプライマリセルの生成を条件として従属的に形成されるセカンダリセルであるか否かを識別するステップ、及び
（ｂ）周辺の非セカンダリセルで使用されているのと異なる周波数チャネルを前記周辺の非セカンダリセルで使用されている周波数チャネルより優先して前記基地局装置が形成する自セルで使用される周波数チャネルとして選択するステップ。【００１７】
本発明の第３の態様は、移動局との間で無線通信を行う基地局機器用の処理装置である。当該処理装置は、周辺の基地局によって形成される周辺のセルがプライマリセルの生成を条件として従属的に形成されるセカンダリセルであるか否かを識別する処理と、周辺の非セカンダリセルで使用されているのと異なる周波数チャネルを優先的に前記基地局機器が形成する自セルで使用する周波数チャネルとして選択する処理を実行する。【００１８】
本発明の第４の態様は、移動局との間で無線通信を行う基地局機器に関する制御処理をコンピュータに実行させるためのプログラムである。前記制御処理は、以下のステップ（ａ）及び（ｂ）を含む。
（ａ）周辺の基地局によって形成される周辺のセルがプライマリセルの生成を条件として従属的に形成されるセカンダリセルであるか否かを識別するステップ、及び
（ｂ）周辺の非セカンダリセルで使用されているのと異なる周波数チャネルを前記周辺の非セカンダリセルで使用されている周波数チャネルより優先して前記基地局機器が形成する自セルで使用される周波数チャネルとして選択するステップ。【００１９】
本発明の第５の態様にかかる無線通信システムは、第１及び第２の基地局を含む。前記第１の基地局は、無線通信部及び周波数チャネル制御部を有する。無線通信部は、移動局との間で無線通信を行う。周波数チャネル制御部は、前記第２の基地局によって形成される周辺のセルがプライマリセルの生成を条件として従属的に形成されるセカンダリセルであるか否かを識別し、周辺の非セカンダリセルで使用されているのと異なる周波数チャネルを前記無線通信部が形成する自セルで使用する周波数チャネルとして優先的に選択する。
【発明の効果】
【００２０】
本発明によれば、自セルの周波数チャネルを自律的に選択可能な基地局が、周辺の非セカンダリセルに及ぼす干渉を、周辺のセカンダリセルに及ぼす干渉より優先して効果的に抑制できる。
【図面の簡単な説明】
【００２１】
【図１】発明の実施の形態１にかかるホーム基地局を含む無線通信システムの構成図である。
【図２】発明の実施の形態１にかかるホーム基地局の構成例を示すブロック図である。
【図３】発明の実施の形態１にかかるホーム基地局によるプライマリセルに割り当てる周波数を決定する処理の全体的な手順を示すフローチャートである。
【図４】セル属性の識別処理の具体例を示すフローチャートである。
【図５Ａ】セカンダリセルであるか否かを判定する処理の具体例を示すフローチャートである。
【図５Ｂ】セカンダリセルであるか否かを判定する処理の具体例を示すフローチャートである。
【図６Ａ】周波数チャネル測定情報の具体例を示す図である。
【図６Ｂ】周波数チャネル測定情報の具体例を示す図である。
【図７】周波数チャネル測定情報に基づいてプライマリセルへの割り当て周波数を決定する処理の具体例を示すフローチャートである。
【図８】発明の実施の形態１におけるプライマリセル周波数チャネルの決定手順の一例を示すシーケンス図である。
【図９Ａ】プライマリセルの周波数チャネルが順次決定される様子を示す概念図である。
【図９Ｂ】ホーム基地局の受信電力を示すグラフである。
【図９Ｃ】プライマリセルの周波数チャネルが順次決定される様子を示す概念図である。
【図９Ｄ】ホーム基地局の受信電力を示すグラフである。
【図９Ｅ】プライマリセルの周波数チャネルが順次決定される様子を示す概念図である。
【図９Ｆ】ホーム基地局の受信電力を示すグラフである。
【図１０】発明の実施の形態２にかかるホーム基地局の構成例を示すブロック図である。
【図１１】発明の実施の形態２にかかるホーム基地局によるプライマリセルに割り当てる周波数を決定する処理の全体的な手順を示すフローチャートである。
【図１２】発明の実施の形態２におけるプライマリセル周波数チャネルの決定手順の一例を示すシーケンス図である。
【図１３】DC-HSDPAによるパケット通信を行うために使用される物理チャネルを示す図である。
【発明を実施するための形態】
【００２２】
以下では、本発明を適用した具体的な実施の形態について、図面を参照しながら詳細に説明する。各図面において、同一要素には同一の符号が付されており、説明の明確化のため、必要に応じて重複説明は省略される。
【００２３】
＜発明の実施の形態１＞
図１は、本実施の形態にかかるホーム基地局１を含む無線通信システムの構成例を示す図である。なお、本実施の形態にかかる無線通信システムは、ＦＤＤ（Frequency division Duplex）−ＣＤＭＡ、より具体的にはＷ−ＣＤＭＡ方式の無線通信システムであるとして説明を行う。
【００２４】
ホーム基地局１は、ホームゲートウェイ（ホームＧＷ）８１を介して移動体通信事業者のコアネットワーク８３に接続されており、移動局６−１とコアネットワーク８３との間でトラフィックを中継する。ホーム基地局１は、例えば、ＡＤＳＬ（Asymmetric Digital Subscriber Line）、光ファイバ、同軸ケーブル等の固定通信回線に接続して使用され、ＩＰ（Internet Protocol）通信網やインターネット等を経由してホームＧＷ８１に接続される。
【００２５】
ホーム基地局１は、DC-HSDPAをサポートする基地局であり、周波数チャネルが互いに異なるプライマリセル及びセカンダリセルを生成する。ホーム基地局１は、プライマリセル及びセカンダリセルを形成するための共通物理チャネル（P-CPICH、SCH等）を送信するとともに、２つのサービングHS-DSCHセルの各々においてHS-DSCHを運ぶ物理チャネル（HS-PDSCH）を送信する。
【００２６】
また、ホーム基地局１は、プライマリセルの周波数チャネルを、周辺セルで使用されている周波数チャネルを考慮して決定する。より具体的に述べると、ホーム基地局１は、自身のプライマリセルに割り当てる周波数チャネルを、周辺の非セカンダリセル（プライマリセル及び非HSDPAセル）で使用されている周波数チャネルとの重複が極力発生しないように決定する。言い換えると、ホーム基地局１は、周辺セルが未使用の周波数チャネル又は周辺のセカンダリセルで使用されている周波数チャネルを、周辺の非セカンダリセル（周辺のプライマリセル及び非HSDPAセル）で使用されている周波数チャネルより優先して自身のプライマリセルに割り当てる。このような周波数チャネル割り当てを行うために、ホーム基地局１は、周辺セルの属性を識別する。なお、ホーム基地局１がプライマリセル用の周波数チャネルを決定する手順の具体例については後述する。
【００２７】
周辺基地局７は、周辺セルを生成し、移動局６−２と通信を行う。図１の例では、周辺セルは、ホーム基地局１が生成するホームセル（プライマリセル及びセカンダリセル）を覆うように形成される上位階層のマクロセルである。周辺基地局７は、無線ネットワーク制御装置（ＲＮＣ：Radio Network Controller）８２を介してコアネットワーク８３に接続されており、移動局６−２とコアネットワーク８３との間でトラフィックを中継する。なお、周辺基地局７は、ホームセルを形成するホーム基地局であってもよい。また、以下では、周辺基地局７がDC-HSDPAをサポートする基地局であるとして説明を行うが、周辺基地局７は、シングルセル運用のHSDPAのみをサポートする基地局であってもよい。また、周辺基地局７は、HSDPA及びDC-HSDPAをサポートせず、非HSDPAセルを形成する基地局であってもよい。
【００２８】
ホームＧＷ８１は、ホーム基地局１とコアネットワーク８３との間の情報転送を行う。ＲＮＣ８２は、配下の周辺基地局７が形成する周辺セル内に存在する移動局６−２とコアネットワーク８３との間の通信制御および情報転送を行う。
【００２９】
続いて以下では、ホーム基地局１の構成例と、プライマリセル用の周波数チャネルの決定手順の具体例について順に説明を行う。図２は、ホーム基地局１の構成例を示すブロック図である。図２において、無線通信部１１は、移動局６−１から送信されたアップリンク信号をアンテナ１０を介して受信する。
【００３０】
受信データ処理部１２は、受信されたアップリンク信号の逆拡散、ＲＡＫＥ合成、デインタリービング、チャネル復号、エラー訂正等の各処理を行って受信データを復元する。得られた受信データは、有線通信部１４を経由してホームＧＷ８１に転送される。なお、ホーム基地局による自律的な無線リソース制御のために、ホーム基地局にＲＮＣ機能を持たせることが検討されている。よって、ホーム基地局１にＲＮＣ機能を持たせてもよい。ホーム基地局１にＲＮＣ機能を持たせる場合、受信データ処理部１２によって得られた受信データが移動局６−１の位置登録要求や無線チャネル確立要求であれば、これらの制御を実行するために当該受信データは、ホーム基地局１が有するＲＮＣ機能部（不図示）に送られる。
【００３１】
送信データ処理部１３は、移動局６−１に向けて送信される送信データを有線通信部１４から取得し、誤り訂正符号化、レートマッチング、インタリービング等を行なってトランスポートチャネルを生成する。さらに、送信データ処理部１３は、トランスポートチャネルのデータ系列にＴＰＣ（Transmit Power Control）ビット等の制御情報を付加して無線フレームを生成する。また、送信データ処理部１３は、拡散処理、シンボルマッピングを行って送信シンボル列を生成する。無線通信部１１は、送信シンボル列の直交変調、周波数変換、信号増幅等の各処理を行ってダウンリンク信号を生成し、これを移動局６−１に送信する。
【００３２】
周波数チャネル制御部１５は、プライマリセル及びセカンダリセルに割り当てる周波数チャネルを決定する。
【００３３】
移動局モード受信部１６は、周辺基地局７から送信される無線信号を受信し、信号品質を測定する。測定する信号品質は、周辺基地局７から送信された無線信号の減衰に応じて変化する物理量であればよい。例えば、移動局モード受信部１６は、周辺セルからの共通パイロットチャネルP-CPICHの受信電力（ＲＳＣＰ：Received Signal Code Power）を測定すればよい。なお、移動局モード受信部１６の受信回路は、無線通信部１１の受信回路と兼用されてもよい。
【００３４】
次に、ホーム基地局１がプライマリセルに割り当てる周波数チャネルを決定する手順の具体例について説明する。図３は、周波数チャネルの決定手順の全体を示すフローチャートである。ステップＳ１０１では、移動局モード受信部１６は、少なくとも１つの周波数チャネルについて信号受信を行う。上述したように、周辺セルから送信される信号の信号品質を得るために、移動局モード受信部１６は、周辺基地局７から送信されるP-CPICHの受信電力（RSCP）の測定等を行えばよい。また、後述する周辺セルの識別のために、移動局モード受信部１６は、所定の物理チャネル（例えばP-CCPCH）の受信を行えばよい。
【００３５】
ステップＳ１０２では、周波数チャネル制御部１５は、測定された周波数チャネルを使用している周辺セルのセル属性を識別する。具体的には、周波数チャネル制御部１５は、周辺セルがDC-HSDPA用に形成されたセカンダリセルであるか否かを識別すればよい。ここで、セル属性を識別する手順の具体例を図４〜６のフローチャートを用いて説明する。
【００３６】
図４は、セル属性識別手順の一例を示すフローチャートである。ステップＳ２０１では、周波数チャネル制御部１５は、測定を行った周波数チャネルにおいて周辺セルが検出されたか否かを判定する。当該判定は、測定を行った周波数チャネルにおいて共通パイロットチャネル（P-CPICH）が受信されたか否かによって行えばよい。例えば、P-CPICHの受信電力（RSCP）が所定の閾値（例えば-100 dBm）を下回る場合に、周波数チャネル制御部１５は、当該周波数チャネルが未使用であると判定すればよい。
【００３７】
測定を行った周波数チャネルで周辺セルが検出された場合（ステップＳ２０１でＹＥＳ）、周波数チャネル制御部１５は、検出された周辺セルがセカンダリセルであるか否かを判定する（ステップＳ２０２）。なお、当該判定は、周辺セルが非セカンダリセル（プライマリセル又は非HSDPAセル）であるか否かを判定すると言い換えることもできる。
【００３８】
ここで、周辺セルがセカンダリセルであるか否かを判定するための具体的方法を２つ紹介する。第１の判定方法は、予め定められた物理チャネルが送信されているか否かによってセカンダリセルを識別する方法である。この方法は、例えば、非セカンダリセル（プライマリセル又は非HSDPAセル）で報知チャネル（P-CCPCH）が送信され、セカンダリセルではP-CCPCHが送信されない場合に使用可能である。なお、P-CCPCHは、報知情報を送信するトランスポートチャネル（BCH：Broadcast channel）を転送するダウンリンク共通物理チャネルである。
【００３９】
図５Ａは、第１の判定方法の実行手順を示すフローチャートである。ステップＳ３０１では、周波数チャネル制御部１５は、測定を行った周波数チャネルで報知チャネル（P-CCPCH）が受信されたか否かを判定する。P-CCPCHが受信された場合、当該周波数チャネルを使用する周辺セルが非セカンダリセルであると判定する（ステップＳ３０２）。一方、P-CCPCHが受信されなかった場合、周波数チャネル制御部１５は、当該周波数チャネルを使用する周辺セルがセカンダリセルであると判定する（ステップＳ３０３）。
【００４０】
次に、周辺セルがセカンダリセルであるか否かを判定する第２の方法を説明する。第２の判定方法は、周辺セルからの受信信号に含まれる予め定められた情報の内容によってセカンダリセルを識別する方法である。この方法は、セカンダリセルと非セカンダリセルとで送信情報の内容に相違がある場合に利用可能である。例えば、報知情報に含まれるアクセス制限情報（Cell Barred）が、セカンダリセルでは"アクセス制限有り"を示す"有効値"に設定され、非セカンダリセルでは"アクセス制限無し"を示す"無効値"に設定される場合に、第２の方法が利用できる。この場合、周波数チャネル制御部１５は、アクセス制限情報を参照してセカンダリセルであるか否かを判定すればよい。なお、アクセス制限情報（Cell Barred）の詳細については、3GPP TS 25.331 V8.4.0 (2008-09) "Radio Resource Control (RRC)"を参照されたい。
【００４１】
図５Ｂは、第２の判定方法の実行手順を示すフローチャートである。ステップＳ４０１では、周波数チャネル制御部１５は、測定を行った周波数チャネルで受信されたアクセス制限情報の値を判定する。アクセス制限情報が無効値を示す場合、当該周波数チャネルを使用する周辺セルが非セカンダリセルであると判定する（ステップＳ４０２）。一方、アクセス制限情報が有効値を示す場合、周波数チャネル制御部１５は、当該周波数チャネルを使用する周辺セルがセカンダリセルであると判定する（ステップＳ４０３）。
【００４２】
なお上述した判定方法は一例に過ぎない。例えば、報知チャネル（P-CCPCH）で送信される報知情報にセカンダリセルを識別可能な識別情報を含めてもよい。この場合、周波数チャネル制御部１５は、報知情報に含まれる識別情報を参照して、セル属性を判定すればよい。
【００４３】
図３に戻って説明を続ける。ステップＳ１０３で使用するために、周波数チャネル制御部１５は、ステップＳ１０２でのセル属性の識別結果を保存する。図６Ａ及び６Ｂは、セル属性の識別結果を含む周波数チャネル測定情報の保存データ例を示すテーブルである。図６Ａのテーブルは、３つの周波数チャネルＦ１〜Ｆ３の測定結果を含む。
【００４４】
図６Ａにおいて"使用可否ステータス"は、周波数チャネルＦ１〜Ｆ３の各々が、プライマリセルに使用可能であるか否かの一時的な判定結果を示している。周波数チャネル制御部１５は、周辺セルが検出されなかった場合および周辺セルがセカンダリセルであると判定した場合に、該当する周波数チャネルの使用可否ステータスを"使用可能"にセットすればよい。また、周波数チャネル制御部１５は、周辺セルが非セカンダリセルであると判定した場合に、該当する周波数チャネルの使用可否ステータスを"使用不可"にセットすればよい。
【００４５】
図６Ａでは、周波数チャネルＦ１のステータスは、ＲＳＣＰが所定の閾値（例えば -100 dBm）以下であることから、周辺セルによって使用されていないと判定されたために、 "使用可能"にセットされている。また、周波数チャネルＦ２のステータスは、セカンダリセルによって使用されていると判定されたために"使用可能"にセットされている。これらに対して周波数チャネルＦ３のステータスは、非セカンダリセルによって使用されていると判定されたために"使用不可"にセットされている。
【００４６】
図６Ｂのテーブルで保持されている情報の意味は、図６Ａと同様である。図６Ｂでは、全ての周波数チャネルＦ１〜Ｆ３のステータスは、非セカンダリセルによって使用されているために"使用不可"にセットされている。
【００４７】
なお、周波数チャネル制御部１５は、周波数チャネルが非セカンダリセルによって使用されている場合であっても、ＲＳＣＰが所定の閾値（例えば -85dBm）以下である場合に、当該周波数チャネルの使用可否ステータスを"使用可能"としてもよい。
【００４８】
図３のステップＳ１０３では、周波数チャネル制御部１５は、プライマリセルに割り当てる周波数チャネルを決定する。プライマリセルに割り当てる周波数チャネルの決定は、ステップＳ１０２でのセル属性の識別結果を用いて行われる。具体的には、周波数チャネル制御部１５は、周辺セルによって使用されていない周波数チャネルおよび周辺のセカンダリセルによって使用されている周波数チャネルを、周辺の非セカンダリセルによって使用されている周波数チャネルより優先的に自身のプライマリセルに割り当てる。
【００４９】
図７は、ステップＳ１０３の処理手順の一例を示すフローチャートである。図７のフローチャートは、図６Ａ及び６Ｂに示したような周波数チャネル測定情報を参照して、プライマリセル用の周波数チャネルを決定する手順を示している。
【００５０】
ステップＳ５０１では、周波数チャネル測定情報を参照し、使用可否ステータスが"使用可能"とラベルされた周波数チャネルが存在するか否かを判定する。"使用可能"とラベルされた周波数チャネルが存在する場合（ステップＳ５０１でＹＥＳ）、周波数チャネル制御部１５は、"使用可能"とラベルされた周波数チャネルのうち、ＲＳＣＰが最小の周波数チャネルをプライマリセル用に選択する（ステップＳ５０２）。例えば、図６Ａに示す周波数チャネル測定情報が得られた場合、周波数チャネルＦ１がホーム基地局１のプライマリセル用として選択される。
【００５１】
"使用可能"とラベルされた周波数チャネルが存在しない場合（ステップＳ５０１でＮＯ）、周波数チャネル制御部１５は、"使用不可"とラベルされた周波数チャネルのうち、ＲＳＣＰが最小の周波数チャネルをプライマリセル用に選択する（ステップＳ５０３）。例えば、図６Ｂに示す周波数チャネル測定情報が得られた場合、周波数チャネルＦ３がホーム基地局１のプライマリセル用として選択される。
【００５２】
図８は、ホーム基地局１のプライマリセルに割り当てる周波数チャネルを決定する際の、周辺基地局７、ホーム基地局１、移動局６−１、及び移動局６−２の相互作用を示すシーケンス図である。なお、図８は、プライマリセルとセカンダリセルとでチャネル構成が異なる場合を示している。具体的には、プライマリセルでは報知用の共通物理チャネルP-CCPCHが送信されるが、セカンダリセルではP-CCPCHが送信されない。
【００５３】
ステップＳ６０１〜Ｓ６０3では、周辺基地局１は、プライマリセルのP-CPICH、P-CCPCH、及びHSDPAに関する物理チャネル群を送信する。図中の「HSDPA @ PRIMARY」によって示される物理チャネル群には、ダウンリンクHS-SCCH、ダウンリンクHS-PDSCH、及びアップリンクHS-DPCCHが含まれる。ステップＳ６０４及びＳ６０５では、周辺基地局１は、セカンダリセルのP-CPICH及びHSDPAに関する物理チャネル群を送信する。図中の「HSDPA @ SECONDARY」によって示される物理チャネル群には、ダウンリンクHS-SCCHおよびダウンリンクHS-PDSCHが含まれる。なお、ステップＳ６０１〜Ｓ６０５の記載順序は便宜的なものであり、これらの物理チャネルはSCHを基準とする所定のタイミング関係に従って送信される。
【００５４】
ステップＳ６０６では、ホーム基地局１は、周辺セルからの無線信号を受信し、品質測定を行う。ステップＳ６０６は、図３のステップＳ１０１に対応する。ステップＳ６０７及びＳ６０８では、ホーム基地局１は、周辺セルの属性を識別し、自身のプライマリセルに割り当てる周波数チャネルを決定する。ステップＳ６０７及びＳ６０８は、図３のステップＳ１０２及びＳ１０３に対応する。
【００５５】
ステップＳ６０９では、ホーム基地局１がプライマリセル及びセカンダリセルのセットアップを行う。ステップＳ６１０〜Ｓ６１４では、ホーム基地局１は、プライマリセル及びセカンダリセルによるデータ送信（HS-DSCH転送）を行う。
【００５６】
本実施の形態に関する説明の最後として、以下では、互いに隣接して配置される複数のホーム基地局１がプライマリセルの周波数チャネルを順番に決定していく動作を紹介する。図９Ａ、９Ｃ及び９Ｅは、４つのホーム基地局１（ＨＮＢ１〜ＨＮＢ4）のプライマリセルの周波数チャネルが順次決定される様子を示す概念図である。なお、ここでは、ＨＮＢ１〜ＨＮＢ４は、２つの周波数チャネルＦ１及びＦ２のみが使用可能であるとする。図９Ｂ、９Ｄ及び９Ｆは、ＨＮＢ１〜ＨＮＢ４の受信電力を示すグラフである。
【００５７】
図９Ａは、ＨＮＢ１が配置されている環境に、ＨＮＢ２が新たに配置された場合を示している。ＨＮＢ１は、Ｆ１をプライマリセルに使用し、Ｆ２をセカンダリセルに使用している。図９Ｂは、ＨＮＢ１によって送信されたP-CPICHのＨＮＢ２における受信電力（ＲＳＣＰ）と、セカンダリセルの識別結果を示すグラフである。ＨＮＢ２は、Ｆ２を自身のプライマリセルに使用する。Ｆ１及びＦ２が共にＨＮＢ１によって使用されており、かつＦ２がセカンダリセルに使用されているためである。
【００５８】
図９Ｃは、ＨＮＢ１及びＨＮＢ２が配置されている環境に、ＨＮＢ３が新たに配置された場合を示している。ＨＮＢ１は、Ｆ１をプライマリセルに使用し、Ｆ２をセカンダリセルに使用している。また、ＨＮＢ２は、Ｆ１をセカンダリセルに使用し、Ｆ２をプライマリセルに使用している。ＨＮＢ３における受信電力は、図９Ｄに示す通りである。この場合、ＨＮＢ３は、Ｆ２を自身のプライマリセルに使用する。Ｆ１及びＦ２ともに周辺のプライマリセルに使用されているが、相対的にＲＳＣＰが小さいのはＦ２であるためである。
【００５９】
図９Ｅは、ＨＮＢ１、ＨＮＢ２及びＨＮＢ３が配置されている環境に、ＨＮＢ４が新たに配置された場合を示している。ＨＮＢ１は、Ｆ１をプライマリセルに使用し、Ｆ２をセカンダリセルに使用している。また、ＨＮＢ２及びＨＮＢ３は、Ｆ１をセカンダリセルに使用し、Ｆ２をプライマリセルに使用している。ＨＮＢ４における受信電力は、図９Ｆに示す通りである。この場合、ＨＮＢ４は、Ｆ１を自身のプライマリセルに使用する。Ｆ１及びＦ２ともに周辺のプライマリセルに使用されているが、相対的にＲＳＣＰが小さいのはＦ１であるためである。
【００６０】
上述したように、本実施の形態にかかるホーム基地局１は、周辺セルの属性を識別し、周辺の非セカンダリセルで使用されているのとは異なる周波数チャネルを優先的に自身のプライマリセルに割り当てる。このため、周辺の非セカンダリセルと同一の周波数チャネルが、ホーム基地局１のプライマリセルの周波数チャネルとして選択される確率が減少する。よって、ホーム基地局１は、周辺のプライマリセルおよび非HSDPAセルへの干渉を、周辺のセカンダリセルへの干渉より優先して効果的に抑制できる。
【００６１】
なお、ホーム基地局１は、プライマリセルに割り当てる周波数チャネルの決定と同様に、セカンダリセルに割り当てる周波数チャネルの決定を行ってもよい。また、本実施の形態では、ホーム基地局１は、DC-HSDPAをサポートする基地局であるとして説明を行った。しかしながら、ホーム基地局１は、シングルセル運用のHSDPAのみをサポートする基地局であってもよい。また、ホーム基地局１は、HSDPA及びDC-HSDPAを共にサポートしていない基地局であってもよい。この場合、ホーム基地局１は、上述したプライマリセルの周波数チャネル決定手順に従って、自身の非HSDPAセルに割り当てる周波数チャネルを決定すればよい。
【００６２】
上述した周波数チャネル制御部１５が行う割り当て周波数チャネルの決定処理は、ＡＳＩＣ、ＤＳＰ等の半導体処理装置を用いて実現してもよい。また、割り当て周波数チャネルの決定処理は、図３〜７を用いて説明した処理手順（ただし、移動局モード受信部１６によるステップＳ１０１を除く）を記述した制御プログラムをマイクロプロセッサ等のコンピュータに実行させることによって実現してもよい。この制御プログラムは、様々な種類の記憶媒体に格納することが可能であり、また、通信媒体を介して伝達されることが可能である。ここで、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれ、インターネットも含まれる。
【００６３】
＜発明の実施の形態２＞
本実施の形態にかかるホーム基地局２は、上述した発明の実施の形態１と同様のプライマリセルの周波数チャネル決定処理を運用中にも実行する。ホーム基地局２は、いったんプライマリセル及びセカンダリセルの周波数チャネルを決定して運用を開始した後に、現在プライマリセルに使用している周波数チャネルよりも条件の良い他の周波数チャネルを発見した場合、プライマリセル用の周波数チャネルを切り替える。ホーム基地局２は、周辺の非セカンダリセル（プライマリセル又は非HSDPAセル）と重複する周波数チャネルを自身のプライマリセルに割り当てている場合、運用中に周辺セルの監視を行う。周辺セルの監視は、現在のプライマリセルとは異なる他の周波数チャネルの測定を含む。ホーム基地局２は、周辺の非セカンダリセルに使用されていない周波数チャネル（つまり条件の良い周波数チャネル）を発見した場合に、プライマリセル用の周波数チャネルを切り替える。
【００６４】
図１０は、ホーム基地局２の構成例を示すブロック図である。図１０中のアンテナ１０、無線通信部１１、受信データ処理部１２、送信データ処理部１３、有線通信部１４、および移動局モード受信部１６の機能及び動作は、発明の実施の形態１で既に説明した対応する構成要素と同様である。
【００６５】
周波数チャネル制御部２５は、デュアルセル運用の開始前に、すでに説明した周波数チャネル制御部１５と同様の手順でプライマリセル及びセカンダリセルに割り当てる周波数チャネルを決定する。さらに、周波数チャネル制御部２５は、移動局６−１との通信開始後においても、移動局モード受信部１６による測定情報を取得し、非セカンダリセルに使用されていない周波数チャネルを探索する。非セカンダリセルに使用されていない周波数チャネルを発見した場合、周波数チャネル制御部２５は、この発見された周波数チャネルをプライマリセルに割り当てる。
【００６６】
続いて以下では、プライマリセルの周波数チャネルの再選択を行う具体的な手順について図１１及び１２を参照して説明する。図１１は、プライマリセルの周波数チャネルの再選択に関するホーム基地局５の処理手順を示すフローチャートである。図１１に示すフローチャートの処理は、周辺の非セカンダリセルで使用されているのと同じ周波数チャネルをホーム基地局２のプライマリセルでも重複して使用している場合に実行すればよい。プライマリセルの周波数チャネルの再選択は、所定の時間周期で定期的に実行すればよい。
【００６７】
ステップＳ７０１では、周波数チャネル制御部２５は、セカンダリセルを使用中であるか否かを判定する。セカンダリセルを使用中である場合、周波数チャネル制御部２５は、セカンダリセルでのHS-DSCH転送を停止し、セカンダリセルの停止を移動局６−１に通知する（ステップＳ７０２）。セカンダリセル停止の移動局６−１への通知は、RRC MESSAGE（Deactivation）又はHS-SCCH ORDER（Deactivation）等のコマンドを送信することによって行えばよい。
【００６８】
ステップＳ７０２に引き続くステップＳ１０１〜Ｓ１０３では、上述した図２の対応するステップＳ１０１〜Ｓ１０３と同様の処理を行えばよい。ただし、現在プライマリセルに割り当てている周波数チャネルの測定は省略してもよい。
【００６９】
周辺セルによって使用されていない周波数チャネル又は周辺のセカンダリセルによって使用されている周波数チャネルが発見された場合、ステップＳ１０３では、プライマリセル用の周波数チャネルの切り替えが決定される。プライマリセル用の周波数チャネルの切り替えが決定された場合、周波数チャネル制御部２５は、プライマリセル用の周波数チャネルの変更を移動局６−１に通知する（ステップＳ７０３及びＳ７０４）。当該通知は、例えば、RRC MESSAGE（Reconfiguration）を送信することによって行えばよい。
【００７０】
非セカンダリセルで使用されていない周波数チャネルが発見されなかった場合、周波数チャネル制御部２５は、セカンダリセルの再開を移動局６−１に通知する（ステップＳ７０３及びＳ７０５）。当該通知は、例えば、RRC MESSAGE（Activation）又はHS-SCCH ORDER（Activation）等のコマンドを送信することによって行えばよい。
【００７１】
図１２は、周辺基地局７、ホーム基地局２、移動局６−１及び移動局６−２の相互作用を示すシーケンス図である。ステップＳ８０１では、ホーム基地局２は、HS-SCCH ORDER（Deactivation）を移動局６−１に送信することで、セカンダリセルを停止する。図１２のステップＳ６０１〜Ｓ６０８は、上述した図８の対応するステップＳ６０１〜Ｓ６０８と同様である。
【００７２】
ステップＳ８０２では、ホーム基地局２は、RRC MESSAGE（Reconfiguration）を送信することによって、プライマリセル用の周波数チャネルの変更を移動局６−１に通知する。なお、プライマリセル用の周波数チャネルの変更を行わない場合、ホーム基地局２がセカンダリセルの再開を移動局６−１に通知すればよいことは、上述した通りである。
【００７３】
図１２のステップＳ６１０〜Ｓ６１４は、上述した図８の対応するステップＳ６１０〜Ｓ６１４と同様である。
【００７４】
以上に述べたように、本実施の形態にかかるホーム基地局２は、プライマリセル及びセカンダリセルの周波数チャネルをいったん決定し、移動局６−１との通信を開始した後にも、継続的に周波数チャネルの使用状況を監視する。このため、ホーム基地局２は、周波数チャネルの使用状況の変化に動的に対応でき、周辺のプライマリセルおよび非HSDPAセルへの干渉を一層効果的に抑制できる。
【００７５】
なお、発明の実施の形態１で述べたのと同様に、ホーム基地局２は、シングルセル運用のHSDPAのみをサポートする基地局であってもよい。また、ホーム基地局２は、HSDPA及びDC-HSDPAを共にサポートしていない基地局であってもよい。
【００７６】
また、発明の実施の形態１で述べたのと同様に、周波数チャネル制御部２５が行う周波数チャネルの決定処理は、ＡＳＩＣ、ＤＳＰ、マイクロプロセッサ等を用いて実現してもよい。
【００７７】
＜その他の実施の形態＞
発明の実施の形態１及び２で述べた周波数チャネル制御部１５及び２５による周波数チャネルの決定処理の少なくとも一部は、ホームＧＷ８１又はコアネットワーク８３に配置された装置（例えばＲＮＣ）によって実行されてもよい。つまり、ホーム基地局１及び２が行うものとして説明したプライマリセル用の周波数チャネルの決定手順に含まれる各処理は、ホーム基地局１及び２とこれが接続される上位側の装置との間で任意に分担することが可能である。
【００７８】
また、上述した発明の実施の形態１及び２では、Ｗ−ＣＤＭＡ方式のＤＣ−ＨＳＤＰＡをサポートする基地局に本発明を適用する場合について説明した。しかしながら、本発明の適用先は、Ｗ−ＣＤＭＡ方式のＤＣ−ＨＳＤＰＡをサポートする基地局に限定されるものではない。つまり、移送局との無線通信に使用する周波数チャネルを自律的に決定することが可能な基地局であれば、下りチャネルの多重アクセス方式がＣＤＭＡであるか否かにかかわらず、本発明は適用可能である。上述したＷ−ＣＤＭＡ方式のＤＣ−ＨＳＤＰＡであれば、各物理チャネルは直交コード（チャネライゼイションコード）の違いによって識別される。一方、ＷｉＭＡＸ及びＬＴＥのように下りチャネルの多重アクセス方式にＯＦＤＭＡ（Orthogonal Frequency Division Multiplexing Access）を採用する基地局であれば、各物理チャネルはトーン（サブキャリア）の違いによって識別される。
【００７９】
また、上述した発明の実施の形態１及び２では、ホーム基地局１及び２は、周辺セルがセカンダリセルであるか否かを判別する。しかしながら、周辺セルがセカンダリセルであるか否かの判別は、周辺セルの優先度判別の一具体例に過ぎない。つまり、本発明の一態様には以下に述べる基地局装置が含まれる。すなわち、本発明の一態様に係る基地局装置は、移動局との間で無線通信を行う無線通信部と、前記無線通信部が形成する自セルで使用される周波数チャネルを決定する周波数チャネル制御部とを有する。さらに、前記周波数チャネル制御部は、少なくとも１つの周辺基地局によって形成される少なくとも１つの周辺セルの優先度を判別し、前記少なくとも１つの周辺セルのうち優先度の低いセルで使用されている周波数チャネルを、優先度の高いセルで使用されている周波数チャネルより優先して前記自セルで使用する周波数チャネルに選択する。また、当該基地局装置は、例えば、前記少なくとも１つの周辺セルから送信される無線信号に含まれる報知情報に基づいて、周辺セルの優先度を判別すればよい。
【００８０】
以上、実施の形態を参照して本願発明を説明したが、本願発明は上記によって限定されるものではない。本願発明の構成や詳細には、発明のスコープ内で当業者が理解し得る様々な変更をすることができる。
【００８１】
この出願は、２００８年１２月３日に出願された日本出願特願２００８−３０８７０９を基礎とする優先権を主張し、その開示の全てをここに取り込む。
【符号の説明】
【００８２】
１、２  ホーム基地局
６−１、６−２  移動局
７  周辺基地局
１０  アンテナ
１１  無線通信部
１２  受信データ処理部
１３  送信データ処理部
１４  有線通信部
１５、２５  周波数チャネル制御部
１６  移動局モード受信部
８１  ホームゲートウェイ（ホームＧＷ）
８２  無線ネットワーク制御装置（ＲＮＣ）
８３  コアネットワーク
【図１】
0005594146.tif 000002
【図２】
0005594146.tif 000003
【図３】
0005594146.tif 000004
【図４】
0005594146.tif 000005
【図５Ａ】
0005594146.tif 000006
【図５Ｂ】
0005594146.tif 000007
【図６Ａ】
0005594146.tif 000008
【図６Ｂ】
0005594146.tif 000009
【図７】
0005594146.tif 000010
【図８】
0005594146.tif 000011
【図９Ａ】
0005594146.tif 000012
【図９Ｂ】
0005594146.tif 000013
【図９Ｃ】
0005594146.tif 000014
【図９Ｄ】
0005594146.tif 000015
【図９Ｅ】
0005594146.tif 000016
【図９Ｆ】
0005594146.tif 000017
【図１０】
0005594146.tif 000018
【図１１】
0005594146.tif 000019
【図１２】
0005594146.tif 000020
【図１３】
0005594146.tif 000021